(57)【要約】【課題】  本発明は、ランドセルを水害時に浮き袋として代用できるように工夫した、完全防水仕様の水に浮くランドセル、箱型の背負いかばんを提供する。【解決手段】  ランドセル、箱型の背負いかばんの材質を完全防水仕様にし、開口部周囲に完全防水ファスナーを設け、肩ベルト固定の前ベルトを１本〜２本設け、ジッパー付きポケットを収納部へ設け、防水に必要なすべての取り付け、閉じ部分を完全防水、または、防水仕様にし、形成体の全面、または、収納部内を抗菌防かび仕様にし、開口部のファスナーを閉じると浮き袋に代用できることを特徴とする、水に浮くランドセル、箱型の背負いかばんで、大きさ、色、柄などを変えて、子供から大人まで応用できるものである。【選択図】図１
2014000364.tif 000002
【特許請求の範囲】
【請求項１】
ランドセル、箱型の背負いかばんの材質を完全防水、または、それに準ずる防水仕様にし、開口部の周囲に完全防水ファスナーを設け、肩ベルト固定の前ベルトを１本〜２本設け、ジッパー付きポケットを収納部に設け、防水に必要なすべての取り付け、閉じ部分を完全防水、または、防水仕様にし、形成体の全面、または、収納部内を抗菌防かび仕様にし、開口部のファスナーを閉じると浮き袋に代用できることを特徴とする、水に浮くランドセル本体、箱型の背負いかばん。
【発明の詳細な説明】
【技術分野】
【０００１】  本発明は、ランドセルを水害時に浮き袋として使用できるように工夫した、水に浮くランドセル本体、箱型の背負いかばんに関するものである。
【背景技術】
【０００２】  従来、ランドセル本体の防水は、雨除けとして表面の生地に撥水性を施しているものや、ランドセル本体を覆うカバーがあった。
また、防水バッグといわれるものは、レジャー用であった。
【先行技術文献】
【特許文献】
【０００３】
【特許文献１】  特開２００２−３４６２６号公報
【特許文献２】  登録３０５４３２３号公報
【特許文献３】  登録３０８５６４４号公報
【特許文献４】  登録３１３７３１４号公報
【発明の概要】
【発明が解決しようとする課題】
【０００４】（イ）現在、日本は、震災による津波、集中豪雨等による水害の危険にさらされている。      いつ起こるか分からない水害に、人々を守る手立てがないのが現状だった。
（ロ）浮輪やライフジャケットなどがあるが、一年中、持ち歩いたり、着て過ごすことは    できない。
また、緊急時には、それらに空気を入れる時間や余裕がなかった。
子供たちが生活の大半を学校で過ごす環境や、多くの人々の生活の身のまわりに、    水害に対応した物がなかった。
（ハ）たとえば、小学生が携帯していて、最も身近にあるランドセルや、その他の箱型の    かばんも完全防水ではなく、水害に対応していなかった。
本発明は、以上のような課題に対応するために発明したものである。
【課題を解決するための手段】
【０００５】  ランドセル、箱型の背負いかばんの材質を完全防水仕様にし、開口部の周囲に完全防水ファスナーを設け、肩ベルト固定の前ベルトを１本〜２本設け、ジッパー付きポケットを収納部へ設け、防水に必要なすべての取り付け、閉じ部分を完全防水、または、防水仕様にし、形成体の全面、または、収納部内を抗菌防かび仕様にし、開口部のファスナーを閉じると浮き袋に代用できる。
本発明は、以上の構成よりなる水に浮くランドセル、箱型の背負いかばんである。
【発明の効果】
【０００６】（イ）子供たちが、家庭においても学校においても、登下校中でも、いつも身近にあるラ    ンドセルを、いざというときに即座に浮き袋として使える。
大人も背負いかばんとして、いつも身近に使用できる。
（ロ）ランドセル本体はしっかりとした箱型で、その中に空気を確保できるスペースがあ    る。
完全防水仕様にすると、空気を入れる手間もなく、ファスナーを閉めるだけで簡単    に浮き袋になる。
（ハ）いつも身近に浮く物があることが、水害の不安を少しでもやわらげることができる    。
（ニ）ランドセルの浮き袋は、使用するときに両手が空くことも、災害時には大変メリッ    トがある。
（ホ）肩ベルトをつなぐ前ベルトを付けることで、体から離れにくくなる。
（ヘ）平常時でも、大雨や突然の雨に遭ったときに、たとえ傘がなくても、ランドセル、    箱型の背負いかばんの中に雨水が入ることを完全に防げ、大変便利である。
【図面の簡単な説明】
【０００７】
【図１】  本発明の斜視図である。
【図２】  本発明の裏面図である。
【図３】  本発明の応用図である。
【発明を実施するための形態】
【０００８】  以下、本発明を実施するための形態について説明する。
（イ）蓋部（３）を除く、ランドセル本体（１）の箱型部（２）を形成している材質には    、完全防水の浮きやすい物、発泡のプラスチック系の物などで、曲げても折れにくく    、傷に強いしっかりとした板状の物を使用する。
芯材がそのまま表面素材になる場合や、芯材に傷に強いゴム系、化学繊維、軟質プ    ラスチックなどを組み合わせたものでもよい。
芯材が丈夫であれば、表面繊維に傷がついても防水に問題はない。
（ロ）蓋部（３）の素材は、やわらかくて丈夫な完全防水の芯材、軟質プラスチック系な    どを使用し、芯材をそのまま表面素材にするか、防水生地を張り合わせる。
（ハ）接続部（８）を除く、蓋部（３）の周囲（４）と、蓋を被せたときに蓋部（３）の    周囲と接し合う箱型部（２）の周囲（５）に、完全防水ファスナー（６）を溶着など    で防水仕様に取り付ける。
（ニ）ファスナーを閉じた後の全表面を完全防水にするため、取り付け部分と閉じ部分の    必要な所は、すべて溶着付け、または、縫い目などの上に完全防水性の物で覆うなど    、防水仕様にする。
（ホ）箱型部前（９）は、ファスナーをスムーズに閉めやすいように、厚みのないポケッ    ト（１０）、または、窓を付ける。
他の表面（７）にポケットを付ける場合は、厚みがあってもよいが、防水仕様で取    り付ける。
（ヘ）収納部（１１）は、十分な奥行きと高さを取り、出し入れ口は、本などを取り出し    やすいように程良い傾斜を付け、収納しやすいように、中仕切り（１２）を１〜２枚    つける。
収納部（１１）内の最前列には小物が入れやすいように、ジッパー付きの内ポケッ    ト（１２）を付ける。
（ト）背裏（１５）の素材は、完全防水の芯材、生地に、クッション性やメッシュなどの    通気性のある物を加え、いずれも水を含みにくい状態にする。
また、万一の水害時、ランドセル、箱型の背負いかばんが体から離れないように、    両肩ベルトをつなぐ前ベルト（１６）を１本〜２本付ける。
（チ）本ランドセルは、完全防水仕様のため、全面、または、収納部内を、安全性の高い    抗菌防かび物質で塗布または素材に組み入れる。
本発明は以上のような構造である。
本発明を使用するときは、蓋部（３）を箱型部（２）に被せ、ファスナーを右、または、左のファスナー止め（１３）から左、または、右のファスナー止め（１４）まで確実に閉じ、肩に背負って前ベルトを閉じる。ただし、ファスナー止めは可能な場合は長さの中央部分にしてもよい。
また、浮き袋として使用するときは、できるだけ中身を軽くする。
他の実施例を説明する。
図３に示すように、いざというとき、素早くファスナーを閉じることができるように、蓋が短く、閉じ周囲も短くした完全防水のランドセルである。
この場合表面に出るポケット部分も防水仕様にし、水が溜まりにくいようにする。
普段の使い勝手としても蓋部（３）が短い方が、開閉が楽である。
この作り方で、大きさ、色、柄、肩ベルトなどを年齢に合わせた物にするだけで、背負いかばんとして、子供から、大人まで応用できる。
【符号の説明】
【０００９】１  ランドセル本体
２  箱型部
３  蓋部
４  蓋部の周囲
５  箱型部の周囲
６  完全防水ファスナー
７  表面
８  接続部
９  箱型部前
１０  ポケット
１１  収納部
１２  内ポケット
１３  右ファスナー止め
１４  左ファスナー止め
１５  背裏
１６  前ベルト
【図１】
2014000364.tif 000003
【図２】
2014000364.tif 000004
【図３】
2014000364.tif 000005